(57)【要約】      （修正有）【課題】この装置で、人命、財産、農作物等の流失を守り、地球環境保全又、住み良い街造りに役立ち、本体も産業廃棄物のリサイクル品を加工材料として使用可能で安価にすることが出来、それに、人手、モーター、ポンプ等の人件費、設備費を省く。【解決手段】土台（基礎）機構１２、２１と、流入、貯水、排水溝機構５、又、その内部に上下浮き沈みする機構４からなる。土台（基礎）機構は、機体１２、２１の上部に、上の機構から１７の小径穴を通り、１８穴溝へと流れる水を、この機構の側面にある排水バルブ１９より水を外部へ流す。流入，貯水、排水溝機構５は、本体の上部に入水取り入れ口２と、下部に排水口１７小径穴を設け、後述の様に、浮力体４が上がることにより、水が取り入れ口２より流入し、進入側通路９を通り、空間３に貯水され、入水量は外部の水の増減によつて高さが決まる。【選択図】    図１
2004251090.tif 000002
【特許請求の範囲】
【請求項１】
2004251090.tif 000030
側部に水に流入取り入れ口、箱体内部側面部に，箱体内部底辺に水が流入、貯水出来るように随所に側道を設ける機構にし、外部へは、小経な排水用穴を下部に
2004251090.tif 000031
めら、この装置は、露出、埋め込み両方タイプの堤防装置。
【請求項２】
2004251090.tif 000032
衝撃に耐え、軽量材質を使用（強化プラチツク等の強度、軽量材質等）すること
を特徴とし、【請求項１】に記載の自然可動浮き沈み式防波，防水、防砂、防止装置。
【請求項３】
現在流水している海、河川、川等に逆流防止付き扉を持つ土台図１−２２（点線の範囲）を設置することで、通常にはその役目を果し、災害時には、水量の力関係を逆流防止扉が，自然、又は、人工的にコントロールすることで、防水、防波の効果が得られ、海、水上交通でも、その点利用出来る装置。
【発明の詳細な説明】
【発明の属する技術分野】
【０００１】
本発明は、大雨水、津波、高波、波による砂べり減少等の自然災害を最小限に防止する装置。
【０００２】
【従来の技術】
自然災害が発生する時、土、石、コンクリート、によつて、堤防を築きその上に土嚢を積み上げる方法、津波に至つては、テトラポツトを海に投げ入れて，海水、波の力を弱める方法、この他多々ありますが、従来の方法と違い、既存の堤防、海抜０メートル地帯、地下道入り口、市街地、寒冷地、又、水の合流地点（例、河川と海）にも逆流防止扉付き方法で設置でき、露出、埋め込み両タイプの設置ができる。大きな特徴は、緊急非常時の発令が出された時点で、バルブを閉め、水を本体に注入す事で、災害防止の準備が事前に出来、非難に時間が稼げ役立つ。又、寒冷地では、凍結する為、機能しなくなるので、暖気時に防止剤入り水を注入待機しておける。この本体は、露出、埋め込み両タイプで、如何なる場所にも設置出来、上への高さを地下に求めることが出来、消耗、耐久性も、全露出型より少ない。又，逆流防止扉付き方法の場合、水流の逆流防止に効果があり、河川と海の合流地点では通常時には、従来の役目をし、水、海上交通の便宜をはかり、災害時（津波、）には、扉が閉まり、河川への逆流を防ぎ、二次災害を防止出来る。又、本体は、内部の浮体が浮き上がる事で、それ自体が堤防になり、水の取り入れ口も、浮体と、それが浮上することで出来る取り入れ口を持ち、夫々の流水路を通り、貯水槽に水を貯め、Ｕ字溝下部の小径穴出口より自然排水をすることで、高さ、時間差を生み出し、排水バルブにても調整と排水が出来る構造である。
【０００３】
このような方法では、緊急事態時には、間に合わなくなる。
【０００４】
災害が発生した場合には，莫大な費用が掛り、人命，財産、農作物、地球環境等、水没する全てを失うことになる
【０００５】
上記のような莫大な費用と，人命、財産、農作物等を守ることの出来ない原因は，自然の摂理に即ちに，対応出来ないのが、起因しているので、この装置用いること
2004251090.tif 000003
差によつて、都度、上下する事で水害を未然に防ぐことが出来る。
【０００６】
やはり，緊急事態を防ぐには、多くの時間と手間が掛り、それを減少させるため、自然可動浮き沈み式防水、防波、防砂防止装置を開発することにしたが、たとえ高価になつても、実用化すれば、地球環境、人命，財産等の損失を免れて計り知れない効果があり、従来の方法と併用すれば、より効果が得られる装置である。
【０００７】
【課題を解決する為の着眼】
プラチック業界においては、現在鉄の３倍の強度を持つプラチツクが開発され、現在岐阜県で、山の土砂崩れ防止用にプラチツク網の中に石を入れて活用され、ている技術向上のプラチツクがあり、プラチツク自体は、何処でも入手でき，
2004251090.tif 000004
使用することに着眼した。
【０００８】
2004251090.tif 000005
出来る事に着眼したのである。
【０００９】
新品材料だけでなく、不用品、廃棄物のプラチツクをも利用して、この自然可動浮き沈み式防水、防波、防砂防止装置を製作，設置することで，不用品、廃棄物の処理費用、手間を省くことが出来ると共に、装置も安価にする事が出来、ゴミ問題も少しは解決出来、一石二鳥である。
【００１０】
【課題を解決する為の手段】
2004251090.tif 000006
た浮き沈みする箱体と、全体をオーバーして溢れ出る水を排水するＵ字溝からなり、
2004251090.tif 000007
な排水穴を設け、水を取り入れ、貯水し、排水を取り入れ口と排水穴の差による
2004251090.tif 000008
からの大水等を防止することを特徴とする自然可動浮き，沈み式防波、防水、防砂防止装置である。
【００１１】
2004251090.tif 000009
自然可動浮き沈みする方法で、材質は，軽量、硬度で、加工し易く，新品、又は再生品を溶解したプラチツク又は、それに代る素材等を使用するのを特徴とする。
【００１２】
【発明の効果】
自然可動浮き沈み式防波、防水、防砂防止装置においては、緊急非常事態には、人が気付かなくても自然に作動する仕組みなので、人が都度、機械操作や，確認、判断をしなくても良く、多くの手間、費用等が省ける。
【００１３】
2004251090.tif 000010
来るので、それらを処分する費用が省けると同時に、地球環境にも役立ち、装置自体も安価にすることが出来る。
【００１４】
【発明の実施の態様】
【第一例（図１〜図４参照）】
本例の自然可動浮き沈み防波、防水、防砂防止装置は、図１の示す様に，下段の土台（基礎）機構１−１２と、上段の流入，貯水、排水機構５、その内部の浮力機構４、上段外部側面のＵ字溝排水機構は順次連動をしている土台機構
【００１５】
下段の土台（基礎部分）機構１２は、、四角形型のいわゆる一般的な土台を示し、上段に流入、貯水、排水の溝箱体機構を固定させるアンカーボート、ボルト、ナツト，金具類図１−１３の１、２と、内部は鉄筋を供え持つている機構である
【００１６】
この土台（基礎）機構図１２、２１は、コンクリート、石材を材質として地中に一定の深さと、外部からの水量圧に耐える重さを持ち、その上部は、流入，貯水，排水溝が少し収まる四方形図１−２３の溝穴を持ている機構である。
【００１７】
2004251090.tif 000011
出する水を外部へ流す排水溝、穴図１−１１をもつている機構である。
【００１８】
上段の土台（基礎）機構は、図１−２１に示す様に四角形立方箱型体を示し、水流がある場所の中に設置する土台で、上層内部に通常の水が流れる為の空洞四角形状の通路をくり貫き、その流入口側に９０度内で止まるストツパー付きの逆流防止用の人為的でも作動する開閉式扉を有する構造図５と、何もない一般的な構造の土台があり、夫々の場所に分離合体をして設置することが出来る機構である。
【００１９】
【上段流入、貯水、排水溝機構】
上段流入、貯水、排水、機構図１−５に示す様に、四角立方体箱型内部は、通常のＵ字溝のように刳り貫きタイプで、内部底辺には小径の穴図１−１７を随所均
2004251090.tif 000012
体を持つた浮き体の下部の突起図１−１６と、接触する事と、鎖、ワイヤー図１
2004251090.tif 000013
【００２０】
流入、貯水、排水、機構の内部側面には、逆コの切り込み溝空間が、入水口図１−２から内部底辺図１−３の空間まで下り、水の流入通路を確保した機構である。
【００２１】
2004251090.tif 000014
の間だに、水が流入、貯水、される初期段階のスペースを土台図１−１２、２１。に固定する際に使用する金具図１−１０にて確保している機構である。
【００２２】
これらの機構のコンクリート、等の材質は、
【００１３】で記載した様にリサイクル品も再利用出来、新品と二通りの使用方法がある。
【００２３】
この機構は、左右の両端に次の本体との連結用として各各の面に、凹、凸型図７を有して、連結、分離を可能する接続部分を持つている機構である。
【００２４】
この機構は、
【００２３】で記載した様に、左右双方単体が互いに金具類にて固定され、連結出来る機構である。
【００２５】
この機構の両最先端部分は、側面止め蓋と、この中側に設置されているオーバー水受けＵ字排水溝図１−７が延長上にきて直角にカーブ溝もつている機構であり、この機構の内部、又、外部へも排水管にてオーバー水を排水する機構である。
【００２６】
2004251090.tif 000015
側面は，本体が浮き沈み上下し易くする為に隙間空間を持つ機構である。
【００２７】
2004251090.tif 000016
流入、貯水、排水溝機構上部の面を全て覆い、取り入れ口図１−１、２は全てスノコ、網付きで外部からのゴミ、ホコリ等の進入を防ぎ，図１−１は流入水を高位置で取り入れる事によつて、少しでも内部への水害を防止する機構である。
【００２８】
2004251090.tif 000017
【００２９】
2004251090.tif 000018
起と同じ構造を持ち、この四角形の突起が上下で接触することで、本体自体が外部への流失を防止する事が出来る機構である。
【００３０】
2004251090.tif 000019
込み溝と対照に三画形、又、半円形の外部取り入れ口図１−１の三角形上部個所は、導水溝図１−８と同じ四方形の切り込溝をもち、流入する水の導水道である。
【００３１】
2004251090.tif 000020
る機構である
【００３２】
【溢れ水排水溝機構】
流入，貯水，排水溝機構の側面外部に、同じ高さのＵ字型図１−７の溝を持ち、介型箱体上を越えて溢れ漏れ出る水を内外へ配管を用いて、排水する機構である。
【００３３】
これら、全ての機構の隙間等から溢れ漏れ出る水をも排水する機構でもある。
【００３４】
溢れ水排水溝は、都度途中から別の排水溝へ導かれ，他へ排水をする機構である。
【００３５】
作用効果
本例の自然可動浮き，沈み式防波、防水、防砂、防止装置は、外部の増水により水が取り入れ口図１−１，２から流入道図１−８，９を通り流入し始め、その下部
2004251090.tif 000021
災害時に土嚢を積んだり、ポンプで水を排水する多くの手間、費用、人手を省く効果がある。又、別機構にて、外部に設置したモーター、ポンプ等でパイプを
2004251090.tif 000022
を上下させて、人為的に災害を未然に防止することもでき、両方で効果が得られる。
【００３６】
2004251090.tif 000023
２から水が流入し、側道図１−８，９を通り落下し、貯水する事で、ポンプ等の機械、人の労力を使用せずに浮動する事が出来る装置である。
【００３７】
又、この装置は、産業廃棄物からのコンクリート、プラチツク等材料のリサイクル品も使う事が出来るので手間、費用が省かれ、本例の装置が安価になり、環境にも優しく貢献できる。
【００３８】
2004251090.tif 000024
字型の排水溝らは、左右で分離、連結が出来き、長さ、高さに制限なく施工及び、運搬もが容易である。
【００３９】
【第２例（図６参照）】
本例の装置は、設置する場所が傾斜している場合、下部の土台（基礎）の底辺部に傾斜を持たせる事で、上部の機構類を水平に保つ事が出来る機構である。
【００４０】
この装置を水流のある場所に設置する場合、土台（基礎）図１−１２の延長線上に土台図１−２１、図５が載り、洪水も通す空洞の四角形くり貫き水路を持ち、その常時入水部に９０度止まりのストツパー付きの人為的にも作動出来る軽量開閉扉図５にて逆流を調整、防止できる
【００４１】
この装置を越える増水，内部から溢れ出る水は、この装置内側側道図１−７の排水溝から他所へ流すことができる。
【００４２】
本例の装置においては、大水、津波の災害だけでなく、砂べりをも防止することが出来、多目的使用が可能である。
【００４３】
本例の装置は、色々な立地条件を満す為に、高さ、角度との曲線図６Ａ、Ｂを持つ、同装置を組み合わせて設置する事が出来る。
【００４４】
本例は、災害時における増水に依る河川氾濫の防止、大津波による海の護岸を越える波を防ぐ防波だけでなく、家の回りの防水、山での防砂、地下道、海抜０メートル地帯へ流れ込む水の防止に役立つ機構であり、人命、財産、農作物、地球環境の保護に役に立つ装置機構である。
【００４５】
この装置を設置、及び、施工する場所など公共性が高く、一個人の考え、財力では取り組みが困難で、公共機関での早急な取り組みが、人命、財産、農作物、地球環境を守り、暮らしに役立ち、人類が平和に暮らせる社会を創ることが出来る装置、機構である。
【００４６】
この装置の設置、及び、施工に公共性が高く、人も多く必要となり、雇用面での促進拡大が計れる。
【００４７】
特に、日本国においては、台風、大雨、地震による津波が多い為、早急な必要性があり、立ち上がらなければならない事で、好都合である。
【図面の簡単な説明】
【図１】本発明の実地態様の第１例における自然可動浮き沈み、防波、防水、防砂防止装置の縦断側面図。
【図２】同防止装置の土台（基礎）機構を示す図で、（Ａ）と（Ｂ）は縦断側面図と平面図。
【図３】同防止装置の流入、貯水、排水溝機構を示す図で、（Ａ）と（Ｂ）は縦断側面図と内部導水路側面図。
【図４】2004251090.tif 000025
【図５】同防止装置の開閉扉付き土台機構を示す図で、（Ａ）と（Ｂ）は平面図と縦断側面図。
【図６】同防止装置の土台機構の変形地設置を示す図で、（Ａ）と（Ｂ）は設地後の縦断側面図と平面図。
【図７】同防止装置の流入、貯水、排水溝機構を示す図で、側面立方体図。
【符号の説明】
2004251090.tif 000026
２：流入、貯水、排水溝流入水取り入れ口。
３：貯水溝。
2004251090.tif 000027
５：流入、貯水、排水溝機構。
2004251090.tif 000028
７：外部排水構。
８：流入水道。
９：流入水道。
１０：固定用金具。
１１：扉回転軸
１２：基礎土台。
１３：１，２：取付け連結金具。
2004251090.tif 000029
１５：流入、貯水、排水溝連結接続部。
１６：流失防止突起部。
１７：小径溝穴。
１８：排水溝。
１９：開閉バルブ。
２０：流失防止突起部。
２１：土台１。
２２：土台２。
２３：土台掘り込み部。
２４：流入、貯水、排水溝機構両側蓋。
２５：扉
２６：扉用ストッパー
【図１】
2004251090.tif 000033
【図２】
2004251090.tif 000034
【図３】
2004251090.tif 000035
【図４】
2004251090.tif 000036
【図５】
2004251090.tif 000037
【図６】
2004251090.tif 000038
【図７】
2004251090.tif 000039
【手続補正書】
【提出日】平成15年3月27日(2003.3.27)
【手続補正１】
【補正対象書類名】明細書
【補正対象項目名】００１５
【補正方法】変更
【補正の内容】
【００１５】下段の土台（基礎部分）機構１２，２１、（２２）は四角形型のいわゆる一般的な土台を示し、上段は流入、貯水、排水の溝箱体機構を固定させるアンカーボード、ボルト、ナット、金具類図１−１３の１、２と、内部は鉄筋を備え持つている機構である。


【手続補正２】
【補正対象書類名】明細書
【補正対象項目名】００１７
【補正方法】変更
【補正の内容】
【００１７】この土台（基礎）機構図１２、２１（２２）は、表面上部に上段の凹（凵）溝箱体から流出する水を外部へ流す排水溝、穴図１−１８を持つている機構である。


【手続補正３】
【補正対象書類名】明細書
【補正対象項目名】００３２
【補正方法】変更
【補正の内容】
【００３２】
【溢れ水排水溝機構】
流入、貯水、排水溝機構の側面外部に、同じ高さ
2004251090.tif 000040
て溢れ漏れ出る水を内外へ配管を用いて、排水する機構である。


【手続補正４】
【補正対象書類名】明細書
【補正対象項目名】００４２
【補正方法】変更
【補正の内容】
【００４２】本例の装置に置いては、大水、津波の災害だけでなく、砂べりをも防止することが出来、水路を建設する場合にも完成された水床面上両サイドに、本体と溢れ水排水溝、バルブ、排水溝図１−４、５、７、１８，１９を設置し、水を注入すれば、約２倍が送水，又貯水が出来、防火、農工業水、水道水、渇水時の予備水等多目的に利用できる装置，機構である。
【手続補正５】
【補正対象書類名】明細書
【補正対象項目名】００４３
【補正方法】変更
【補正の内容】
【００４３】本例の装置は，色々な立地条件を満たすために、高さ、角度との曲線図６Ａ，Ｂを持つ、同装置を組み合わせて設置する事が出来、特に、急斜面に設置する場合は、本体を階段方式で各々を重複させ、最下段は両端蓋図７−２４つきで、他は下流部の蓋は無しで、水が流入し、最下段より
2004251090.tif 000041
順次上段へ作動する事も出来る装置。
【手続補正書】
【提出日】平成15年5月8日(2003.5.8)
【手続補正１】
【補正対象書類名】明細書
【補正対象項目名】００１８
【補正方法】変更
【補正の内容】
【００１８】上段の土台（基礎）機構は，図１−２１に示す様に四角形立方箱型体を示し，水流がある場所の中に設置する土台で，この内部を通常の水が流れる為の空洞四角形状図１−２２の通路をくり貫き，その流入口側に９０角度内で止まるストッパー付きの逆流防止用の人為的でも作動する開閉式扉を有する構造図５−Ａ，Ｂと，何もない一般的な構造の土台があり，夫々の場所に分離合体をして設置することが出来る機構である。この扉類は、個々には均等分割式で，積み上げて組み合わることで一つの扉を形成し，水，波の量，高さ、大きさによつて，扉にぶつかる部分のみが作動し，固定回転軸に連動取付けられている機構である。
【手続補正２】
【補正対象書類名】明細書
【補正対象項目名】００２７
【補正方法】変更
【補正の内容】
【００２７】
2004251090.tif 000042
くは，半円形の形状を持ち図１−６、外側の流入、貯水、排水溝機構上部の面を全て覆い，取り入口図１−１，２は全てスノコ，網つきで外部からのゴミ、ホコリ等の進入を防ぎ，図１−１は流入水を高位置で取り入れることによつて、少しでも内部への水害を防止するための機構である。
又，図１−４が四角形の立方体の場合は，水の取り入れ口を流入，貯水、排水溝機構の水の流入通路図３−Ｂと同じ延長上同寸の切り込み口（穴）を、有する簡易タイプとして使用でき，又この四角形立方体に、前述の方法でなく，直接同寸法で，水の流入通路を、これ自身の側面に確保することも出来る機構である。